(57)【要約】【課題】収納物の取り出しを容易に行なうことができる収納ケースを提供する。【解決手段】円盤状のディスクＤを一対の面板１１、２１の間に形成される収納空間に収納するものである。そして、前記収納空間に、ディスクＤの中心よりも低位置において円周ｄ上の少なくとも２箇所を支持する対をなす支持部３０を、面板１１、２１の開成動作に伴って当該２箇所が互いに相寄る方向へ移動し得るように設け、その移動によりディスクＤを、面板１１、２１の閉止時における収納位置から押し出すようにしたことを特徴とする。【選択図】図１
2005022726.tif 000002
【特許請求の範囲】
【請求項１】
円盤状の収納物を一対の面板の間に形成される収納空間に収納するようにしたものであって、
前記収納空間に、収納物の中心よりも低位置において円周上の少なくとも２箇所を支持する対をなす支持部を、面板の開成動作に伴って当該２箇所が互いに相寄る方向へ移動し得るように設け、その移動により収納物を、面板の閉止時における収納位置から押し出すようにしたことを特徴とする収納ケース。
【請求項２】
一対の面板が軸心回りに回転可能に関連づけられたものであり、収納物を押し出す方向が、開成動作に伴って当該収納物を前記軸心から離反させる方向である請求項１記載の収納ケース。
【請求項３】
収納物を軸心から離反させる動作と当該収納物を面板から離反させる動作とを同時に惹起させるようにしている請求項２記載の収納ケース。
【請求項４】
一対の面板が一側縁側に設定した軸心回りに開閉可能に関連づけられたものであって、その一側縁側において、当該軸心上に底辺を、また面板上に斜辺をそれぞれ仮定した場合に想定される二等辺三角形の当該斜辺に各々平行な基準線に沿って面板に支持体の基端を取り付けておき、面板の開成動作に連動させて両支持体を基準線に沿って起立させ、支持体の基端よりも先端側に設定した支持部を相寄る方向へ移動させるようにしている請求項１〜３記載の収納ケース。
【請求項５】
支持体が、基準線に沿った折り線を介して起立可能に取り付けられた壁片である請求項４記載の収納ケース。
【請求項６】
壁片は、収納物が収納位置にあるときに当該収納物の円周に沿って盤面の一部に面してこれを保護する役割をなす請求項５記載の収納ケース。
【請求項７】
一対の壁片が、折り線よりも基端側に共通のベースを有し、当該ベースが面板に取り付けられている請求項５又は６記載の収納ケース。
【請求項８】
支持体は、各面板に基端を取り付けた一対の壁片の最寄の縁部間を少なくとも一部において接続し、その縁部間に支持部である差込口を構成したものであり、面板の閉止時に両壁片同士を重合状態で折り畳み、面板の開成時に両壁片を一対の面板の間を等分に画する位置に繰り出すようにしている請求項５〜７記載の収納ケース。
【請求項９】
収納空間に、収納物の円周上のトップを支持する補助支持部を設け、これにより収納空間内において収納物を３点において支持するようにしている請求項１〜８記載の収納ケース。
【請求項１０】
一対の面板がそれぞれ対をなす蓋体に具備され、それらの蓋体が一側縁側を開閉可能に接続されている収納ケースにおいて、
他側縁に位置する蓋体の小口付近に、一方の蓋体の面板上に位置する窪みを通じて他方の蓋体の面板を直接操作可能な部位と、他方の蓋体の面板上に位置する窪みを通じて一方の蓋体の面板を直接操作可能な部位とを隣接させてなる操作部を設けていることを特徴とする収納ケース。
【請求項１１】
操作部のうち窪みを通じて直接操作可能な部位を半透明若しくは有色透明とし、それ以外の蓋体の構成部位を透明としている請求項１０記載の収納ケース。
【発明の詳細な説明】
【０００１】
【発明の属する技術分野】
本発明は、ＣＤやＤＶＤ等のディスクを始めとする各種円盤状の収納物に好適に適用可能な収納ケースに関するものである。
【０００２】
【従来の技術】
円盤状（本明細書においてはドーナツ状のものを含む）の収納物を一対の面板の間に形成される収納空間に収納するようにした収納ケースとして、一般に市販されている透明のＣＤ／ＤＶＤケースを挙げることができる。
【０００３】
このケースは、対をなす蓋体によってその面板の内面間に扁平な収納空間を形成するものであり、その収納ケースにおいてＣＤ等のディスクの盤面を、蓋体を構成する面板の内面に密着させて収納するようにしているのが通例である。ドーナツ状のディスクにおいては、面板の一部にボス部が設けられ、このボス部にディスクのボス孔を圧入してＣＤ等が容易に脱落しないようしている例もある（例えば、特許文献１参照）。
【０００４】
一対の蓋体は、一側縁側を開閉可能に接続され、他側縁側（ケースを開く側）の小口に蓋体間の境界が存在して、見開き状に開成するのが通例である。具体的には、小口全体を一方の蓋体の面板に付帯させ、他方の蓋体の面板を小口の端縁に片当たりさせることによって収納空間を閉止するようにしたものや、小口を半割に分断して各々半分づつを対応する蓋体の面板に付帯させ、それらを突き合わせることによって小口を連設して収納空間を閉止するようにしたものが知られている。
【０００５】
【特許文献】
特開２００３−０８１３７３号公報
【０００６】
【発明が解決しようとする課題】
しかしながら、かかる構造のものは、蓋体を開けてもディスクが何れかの蓋体を構成する面板の内面に密着した状態のまま残る。このため、ディスクを取り出す際には、薄肉なディスクの端面に指先を掛け、ケースからディスクを「引き離す」作業が必要になる。したがって、使い勝手が極めて悪いという問題がある。特に、ディスクのボス孔が面板に形成したボス部に圧入されている場合等には、係合が強いため尚更である。
【０００７】
また、一対の蓋体の境界は、小口と一方の蓋体との境界部、或いは半割りにされた小口の中央に一条の割目として存在するだけであるので、特に全体が透明である場合などには、蓋体がどこから分離するのかが判り難い。そのため、片手でケース全体をつかみ、もう一方の手でかかる割目を捜し、そこに指を掛けて開けなければならないという操作上の難点もある。
【０００８】
本発明は、このような課題に着目してなされたものであって、利用者にとってディスク等の取り出しを容易に行なうことができる新規有用な構造を備えた収納ケースを提供し、併せて蓋体の開成時における操作上の不具合も解消しようとするものである。
【０００９】
【課題を解決するための手段】
本発明は、かかる目的を達成するために、次のような手段を講じたものである。
【００１０】
すなわち、本発明の収納ケースは、円盤状の収納物を一対の面板の間に形成される収納空間に収納するものである。そして、前記収納空間に、収納物の中心よりも低位置において円周上の少なくとも２箇所を支持する対をなす支持部を、面板の開成動作に伴って当該２箇所が互いに相寄る方向へ移動し得るように設け、その移動により収納物を、面板の閉止時における収納位置から押し出すようにしたことを特徴とする。
【００１１】
すなわち、支持部が相寄る方向へ移動することにより、収納物であるディスク等の円周上の２点であってその間を結ぶ距離が前記支持部間の距離に略等しくなる位置を支持されるまで、当該ディスクが変位することとなる。
【００１２】
そして、その変位方向すなわち押し出し方向は、円周上を付勢されることにより主としてディスク等の面方向への移動を伴うこととなる。このため、ディスク等の動作は面板間から迫り出す動作となり、当該ディスク等に対して引き離す動作を行なわずとも指で簡単に摘み、或いはすくい上げることができる。しかも、本発明の構成は支持部を相寄る方向へ移動させるだけであるため、機構的に簡素となり、閉止時における扁平な収納空間内に無理なく構成して収納しておくことも容易となる。
【００１３】
押し出す方向としては、面板の法線方向成分や面方向成分を含むものが考えられる。特に、一対の面板が軸心回りに回転可能に関連づけられている場合には、収納物を押し出す方向を、開成動作に伴って当該収納物を前記軸心から離反させる方向とするのが望ましく、同時に収納物を面板から離反させる方向に押し出すことも有効である。
【００１４】
一対の面板が一側縁側に設定した軸心回りに開閉可能に関連づけられている場合に、本発明を実施するための具体的な実施の一態様としては、その一側縁側において、当該軸心上に底辺を、また面板上に斜辺をそれぞれ仮定した場合に想定される二等辺三角形の当該斜辺に各々平行な基準線に沿って面板に支持体の基端を取り付けておき、面板の開成動作に連動させて両支持体を基準線に沿って起立させ、支持体の基端よりも先端側に設定した支持部を相寄る方向へ移動させるように構成しているものが挙げられる。
【００１５】
かかる構成によると、収納物であるディスク等は軸心から離反し且つ面板から離反する動作を惹起するので、利用者はより簡単にディスク等を取り出せるようになる。
【００１６】
この場合、支持体は、基準線に沿った折り線を介して起立可能に取り付けられた壁片であるものが好適である。樹脂や硬質紙等で簡単に作れ、収納空間において面板に重合させてコンパクトに配置しておくことができるからである。勿論、壁片に代えて、ピン状あるいはロッド状をなす部材を利用することを妨げるものではない。
【００１７】
壁片である場合は、収納物が収納位置にあるときに当該収納物の円周に沿って盤面の一部に面する位置に配置することで、収納物であるディスク等の記録面を有効に保護することができる。
【００１８】
一対の壁片を確実に取り付けるためには、両壁片が折り線よりも基端側に共通のベースを有し、当該ベースにおいて面板に取り付けられるようにすることが望ましい。
【００１９】
とりわけ好ましい形態として、支持体は、各面板に基端を取り付けた一対の壁片の最寄の縁部間を少なくとも一部において接続し、その縁部間に支持部である差込口を構成したものであり、面板の閉止時に両壁片同士を重合状態で折り畳み、面板の開成時に両壁片を一対の面板の間を等分に画する位置に繰り出すようにしているものが挙げられる。
【００２０】
上記のように構成しても、収納物の収納状態を安定なものにするためには、収納空間に、収納物の円周上のトップを支持する補助支持部を設け、これにより収納空間内において収納物を３点において支持するようにしておくことが望ましい。
【００２１】
一方、蓋体の開成時における操作性を向上させるために、本発明は、一対の面板がそれぞれ対をなす蓋体に具備され、それらの蓋体が一側縁側を開閉可能に接続された収納ケースにおいて、他側縁に位置する蓋体の小口付近に、一方の蓋体の面板上に位置する窪みを通じて他方の蓋体の面板を直接操作可能な部位と、他方の蓋体の面板上に位置する窪みを通じて一方の蓋体の面板を直接操作可能な部位とを隣接させてなる操作部を設けるようにしたものである。
【００２２】
このようにすれば、窪みに２本の指を掛け、ひねるだけで蓋体を開くことができるので、指の力の弱い人でも容易に操作でき、また手を大きく広げてケース全体を掴む必要がないので、手の小さな人でも無理なく操作を行なうことが可能となる。
【００２３】
開閉位置の視認性を良好なものにするためには、操作部のうち窪みを通じて直接操作可能な部位を半透明若しくは有色透明とし、それ以外の蓋体の構成部位を透明としているものが好適である。
【００２４】
【発明の実施の形態】
以下、本発明一実施形態を、図面を参照して説明する。
【００２５】
この実施形態の収納ケースＣは、図１に示すように、円盤状の収納物たるディスクＤを、一側縁側において後述するヒンジｈにより与えられる軸心回りに開閉可能に関連づけられた一対の面板１１、２１の間に形成される収納空間に収納するようにしたもので、前記収納空間に、ディスクＤの中心よりも軸心に近い位置においてディスクＤの円周ｄ上の２箇所を支持する対をなす支持部３０を、面板１１、１２の開成動作に伴って当該２箇所が互いに相寄る方向へ移動し得るように設け、その移動によりディスクＤを、面板１１、１２の閉止時における収納位置から押し出すようにしているものである。
【００２６】
具体的に説明すると、各面板１１、２１は、対をなす蓋体１０、２０の一部をなすもので、蓋体１０、２０は一側縁を前述したヒンジｈを介して開閉可能に接続され、他側縁に開閉のための操作部４１を備えた小口４０が位置するようにしている。詳細には、一方の蓋体１０には、面板１１の他側縁における片半部領域を除く略周回位置に面板１１よりも内側に突出する突条ｔが形成され、他方の蓋体２０には、面板２１の他側縁における前記とは位相のずれた片半部領域を除く略周回位置に面板２１よりも内側に突出する突条ｔが形成され、これら突条ｔ、ｔ同士の少なくとも一部が突き当たることによって、面板１１、２１間に扁平な収納空間を閉成するものである。各面板１１、２１の他側縁における中央付近には、突条ｔが設けられていない部位に一定巾の切欠１１ａ、２１ａを備え、その隣接位置には、蓋体１０、２０同士を閉止した際に互いに相手方の切欠１１ａ、２１ａ内に侵入してその突出面を相手方の面板１１、２１の外面側に窪み１１ｂ１、２１ｂを表出させる突起１１ｂ、２１ｂが設けてある。すなわち、蓋体１０、２０の他側縁に位置する小口４０から面板１１、２１の外面に亘る部位において、蓋体１０の面板１１の外面上に位置させた窪み１１ｂ１を通じて他方の蓋体２０の面板２１を直接操作可能な部位と、蓋体２０の面板２１の外面上に位置させた窪み２１ｂ１を通じて一方の蓋体１０の面板１１を直接操作可能な部位とを隣接させて、操作部４１を構成している。
【００２７】
そして、それぞれの窪み１１ｂ１、２１ｂ１に指を掛けてひねるように離反させる操作を行なうことにより、一対の面板１１、２１を開成させ得るようにしている。
【００２８】
なお、開閉位置の視認性を良好なものにするため、本実施形態に係る収納ケースＣは、操作部４１のうち窪み１１ｂ１、２１ｂ１を通じて直接操作可能な部位を半透明とし、それ以外の蓋体１０、２０の構成部位を透明としている。
【００２９】
一方、図２、図３に示すように支持部３０は、支持体３の一部に備えられたものであり、支持体３は、ベース３１、壁片３２及び接続部３３を樹脂一体成形することによって構成され、立体的に組み立てて一対の面板１１、２１の一側縁側に設けられる（図２）。
【００３０】
ベース３１は、図２に示すように支持体３の基盤となるべく面板１１、２１の一側縁側に添設されるものであり、該一側縁と略同寸の底辺を有する一対の二等辺三角形状をなすベース片３１ａ、３１ｂから構成され、両ベース片３１ａ、３１ｂがその底辺同士を向き合わせ、全体を菱形にした状態において１８０°に展開した蓋体１０、２０の一側縁側に取り付けられる。勿論、ベース片３１ａ、３１ｂの底辺間の縁は切れており、一方のベース片３１ｂは頂点から底辺に降ろした垂線に相当する部位で２つの直角三角形に分離していて、組み立て前の展開状態においてこれらの直角三角形は１枚の樹脂板の相反する両端に位置していて、樹脂板をひねりながらこれらを引き寄せることによって向かい合わせているものである。これらのベース片３１ａ、３１ｂからなるベース３１を取り付けるために、面板１１、２１の内面には嵌め込みジョイントｊが突設してあり、ベース３１の対応部位にはその嵌め込みジョイントｊに嵌合するボス孔ｂが設けてある。前述した操作部４１を構成する突起１１も、別パーツの突起体４２を同様の嵌め込みジョイントｊとボス孔ｂの関係で嵌め合わせているものである。
【００３１】
そして、ベース３１を構成する各ベース片３１ａ、３１ｂの２つの斜辺から、樹脂ヒンジ３ｘを介して、内側縁３２ａが円弧状に湾曲し外側辺３２ｂが直線状に延びる概略角状の壁片３２をそれぞれ向かい合わせて立ち上げている。壁片３２はその外側辺３２ｂがそれぞれ閉止位置において蓋体１０、２０の対応縁部１０ｘ、２０ｘに沿う位置に配置されるもので（図３（Ａ））、この状態において各ベース片３１ａ、３１ｂに付帯する壁片３２の外側辺３２ｂは、それぞれ相手方のベース片３１ｂ、３１ａに付帯して対面位置に配置される壁片３２の外側辺３２ｂとの間を接続部３３を介して接続されている。対をなして対面する壁片３２は、ディスクＤに好適に接するため及びディスクＤの出し入れを好適に行うために、先端付近に法線方向に反り返る湾曲箇所ｒが設けてある。この湾曲箇所ｒにおいて壁片３２同士は、ディスクＤの厚み寸法よりも近接した部位から先端に向けて僅かに離反するように先が開いた形状をなすものとなっている。壁片３２の先端縁にはアールが施されており、また、ディスクＤが収納位置にあるときに壁片３２がその円周ｄに沿って盤面の一部に面する位置に配置されるように、壁片３２の前述した内側縁３２ａは概ね当該円周ｄに沿った曲率をなすように設定してある（図３（Ａ））。
【００３２】
接続部３３は、壁片３２の基端付近から湾曲箇所ｒよりも若干ベース３１よりの位置まで壁片３２、３２間を接続して終わっているものである。そして、この接続部３３の上端部分及び上記一対の壁片３２がなす受け口形状により、接続部３３の上端を底辺とし、該底辺より先端に位置する壁片３２を側辺とする側面視略コの字状の支持部３０を形成している。
【００３３】
なお、面板１１、２１の操作部４１付近の突条には、面板１１、２１から斜め方向に立ち上がる補助支持部４３がそれぞれ設けられている。この補助支持部４３は、図２及び側面図である図３（Ｃ）に示すように、前記突起体４２による突起１１ｂの隣接位置にあって、前記蓋体１０、２０の突条ｔの内面からそれぞれ内側に迫り出し、先端面４３ａを斜めに傾斜させているもので、蓋体１０、２０を閉じた際にそれら一対の端面４３ａがディスクＤのトップを斜め方向から挟むように且つ支持部３０に向かってディスクＤを若干押し付けるようにして当接するよう設定している（図３（Ｂ））。ここに言うディスクＤのトップとは、支持部３０により支持された２点間を結ぶ線分の中間点よりディスクＤの中心を通るように引いた直線が反対側のディスクＤの円周ｄ上と交差する部位を指称している。
【００３４】
つぎに、本実施形態に係る収納ケースＣがディスクＤを収納する態様及びディスクＤを取り出す際の動作態様について説明する。
【００３５】
まず、平面図である図３（Ａ）に示すように収納ケースＣがディスクＤを収納している状態において、支持体３の先端付近に位置する支持部３０がディスクＤの円周ｄ上に２箇所において接するとともに補助支持部４３がディスクＤのトップにおいて接し、ディスクＤは円周ｄ上を計３箇所において収納ケースＣと接することにより面方向への移動が規制された状態となっている。特に、支持体３の湾曲箇所ｒにてディスクＤを２箇所から把持しているとともに、補助支持部４３付近の側面図である図３（Ｂ）に示すように両面板１１、２１から立ち上がる補助支持部４３が互いに斜め方向から挟むようにディスクＤに接するため、ディスクＤの法線方向への移動も規制された状態となっている。つまり、ディスクＤは収納ケースＣの内部においてどの方向にも容易には移動し得ないように支持された状態で収納されている。このとき、二等辺三角形をなすベース片３１ａ、３１ｂと、各々の２辺に連接された角状の支持体３とは、それぞれ面一な状態で面板１１又は２１に密着して収容された状態にある。
【００３６】
そして、収納ケースＣからディスクＤを取り出す際には、図４に示すように、まず使用者が操作部４１の窪み１１ｂ１、２１ｂ１に例えば親指の腹と人差し指の腹を掛けてひねるように広げることにより、一対の面板１１、２１が一側端に設けられたヒンジｈを軸として開くとともに、面板１１、２１に添設されたベース３１を構成するベース片３１ａ、３１ｂも面板１１、２１の動きに併せて開く。そうすると、壁片３２の立ち上がり箇所とベース３１との接続箇所である樹脂ヒンジ３ｘ部分が蓋体１０、２０の一側縁に対して斜めに設けてあるため、ヒンジｈより遠い部位に位置する部分ほどより大きく互いの離反動作を惹起することになり、かつ壁片３２の外側辺３２ｂは接続部３３によって接続されているため、壁片３２の上端部分に位置する一対の支持部３０は互いに相寄る方向へディスクＤの円周ｄ上を摺動しつつ移動することとなる（図５）。すなわち、このものは、一対の壁片３２を接続部３３とともに内側に倒さなければ、ベース３１を構成する一対のベース片３１ａ、３１ｂの間が開かない構造になっている。そして、支持部３０を構成する接続部３３の上端が接しているのはディスクＤの円周ｄ上の２点であって、その間を結ぶ距離が支持部３０の移動とともに縮まるため、ディスクＤはその円周ｄ上の２点を結ぶ弦の長さが前記支持部３０間の距離に略等しくなるような当該２点を支持されるまで、支持部３０に対する高さ位置を変位させることとなる。つまり、ディスクＤは円周ｄ上を付勢されて面方向へ移動し、その結果、ディスクＤは面板１１、２１間から迫り出す動作を惹起することとなる。
【００３７】
図１は、最終的に両面板１１、２１を１８０°開いて水平に配置した状態を示しており、この状態において使用者はディスクＤに対して蓋体１０、２０から引き離す動作等を行なわずとも、指で簡単に摘み、或いはすくい上げて取り出すことができる。
【００３８】
なお、収納ケースＣにディスクＤを収納する際は、上記のように面板１１、２１を水平に開いた状態においてディスクＤを支持部３０の壁片３２間に挟み込ませた後、面板１１、２１を閉じれば、上記したディスクＤを取り出す際の動作態様とは逆の行程を辿ることによりディスクＤが収納ケースＣに収納される。
【００３９】
以上のような構成とすることにより、本実施形態に係る収納ケースＣは、円盤状のディスクＤを一対の面板１１、２１の間に形成される収納空間に収納するものである。そして、前記収納空間に、ディスクＤの中心よりも低位置において円周ｄ上の少なくとも２箇所を支持する対をなす支持部３０を、面板１１、２１の開成動作に伴って当該２箇所が互いに相寄る方向へ移動し得るように設け、その移動によりディスクＤを、面板１１、２１の閉止時における収納位置から押し出すようにしたものである。
【００４０】
すなわち、支持部３０が相寄る方向へ移動することにより、ディスクＤの円周ｄ上の２点であってその間を結ぶ距離が前記支持部３０間の距離に略等しくなる位置を支持されるまで、当該ディスクＤが変位することとなる。
【００４１】
そして、その変位方向すなわち押し出し方向は、円周ｄ上を付勢されることにより主としてディスクＤの面方向への移動を伴うこととなる。このため、ディスクＤの動作は面板１１、２１間から迫り出す動作となり、当該ディスクＤに対して引き離す動作を行なわずとも指で簡単に摘み、或いはすくい上げることができる。しかも、本実施形態は支持部３０を相寄る方向へ移動させるだけであるため、機構的に簡素となり、上述した支持体３０等を閉止時における扁平な収納空間内に無理なく構成して収納しておくことが容易となる。
【００４２】
特に、この実施形態における押し出す方向は、面板１１、２１の法線方向成分や面方向成分を含むものである。具体的には、一対の面板１１、２１が軸心であるヒンジｈ回りに回転可能に関連づけられているので、ディスクＤを押し出す方向が、開成動作に伴って当該収納物を前記軸心から離反させる方向となり、同時に収納物を面板１１、２１の法線方向に離反させる方向となって、面板１１、２１を完全に開いた図１の状態において、その中央に面板１１，２１から垂直に起立した状態を実現し得ているものである。
【００４３】
具体的な構造として、本実施形態は、一対の面板１１、２１が、一側縁側にヒンジｈにより設定した軸心回りに開閉可能に関連づけてあるが、その一側縁側において、当該軸心上に底辺が、また面板１１、２１上に斜辺がそれぞれ位置するようにして、ベース３１を構成する一対の二等辺三角形状のベース片３１ａ、３１ｂを取り付け、当該二等辺三角形の斜辺に各々平行な基準線に位置する樹脂ヒンジ３ｘに沿って面板１１、２１に支持体３の壁片３２を取り付けているものである。そして、面板１１、２１の開成動作に連動させて壁片３２を樹脂ヒンジ３ｘに沿って起立させ、壁片３２の基端よりも先端側に設定した支持部３０を相寄る方向へ移動させるようにしている。
【００４４】
かかる構成によると、扁平な壁片３２を利用するため収納空間に本機構を組み込み易いものとなり、また面板１１、２１を開いた際には壁片３２が起立してディスクＤを迫り出させながら立体的にこれを支持するため利用者が簡単に取り出せるような状態にディスクＤを支持することが可能となる。
【００４５】
特に支持体３に、基準線に沿った折り線となる樹脂ヒンジ３ｘを介して起立可能に取り付けられる壁片３２を採用すると、樹脂や硬質紙等で簡単に作れ、収納空間において面板１１、２１に重合させてコンパクトに配置しておくことができる利点が得られる。
【００４６】
また、ディスクＤが収納位置にあるときに当該ディスクＤの円周ｄに沿って盤面の一部に面する位置に壁片３２を配置しているため、収納物であるディスクＤの記録面を有効に保護することができる。
【００４７】
さらに、両壁片３２を折り線である樹脂ヒンジ３ｘを介してベース３１を構成するベース片３１ａ、３１ｂに連接し、このベース片３１ａ、３１ｂをそれぞれ、蓋体１０、２０の面板１１、２１に取り付けているため、壁片３２の取り付けを確実ならしめることができる。
【００４８】
とりわけ、本実施形態の支持体３は、各面板１１、２１に基端を取り付けられることによって互いに対面する一対の壁片３２の最寄の縁部たる外側辺３２ｂ、３２ｂ間を接続部３３によって接続し、その外側変３２ｂ、３２ｂ間に上記接続部３３を利用して支持部３０を構成したものである。このため、面板１１、２１の閉止時には両壁片３２同士が重合状態で折り畳まれ、面板１１、２１の開成時には両壁片３２を、図１に示すように一対の面板１１、２１の間を等分に画する位置に繰り出すことが可能となっており、簡素な構造で効果的な使用状態を実現することを可能にしているものである。
【００４９】
また、このようにディスクＤを収納空間から迫り出す構造としても、収納空間に、ディスクＤの円周ｄ上のトップを支持する補助支持部４３を設け、これにより収納空間内においてディスクＤを支持部３０と共に３点で支持するようにしているので、ディスクＤの収納状態を安定なものにすることができる。
【００５０】
一方、本実施形態の収納ケースＣは、蓋体１０、２０を一側縁側をヒンジｈにより開閉可能に接続したものであるが、他側縁に位置する蓋体１０、２０の小口４０付近に、蓋体１０の面板１１上に位置する窪み２１ｂ１を通じて他方の蓋体２０の面板２１を直接操作可能な部位と、蓋体２０の面板２１上に位置する窪み１１ｂ１を通じて一方の蓋体１０の面板１１を直接操作可能な部位とを隣接させてなる操作部４１を設けているため、窪み１１ｂ１、２１ｂ１に２本の指を掛けてひねるだけで蓋体１０、２０を開くことができ、指の力の弱い人にも操作を容易とし、また手を大きく広げてケースＣの全体を掴む必要がないので手の小さな人にも無理なく操作できる操作性を提供することができる。
【００５１】
とりわけ、操作部４１のうち窪み１１ｂ１、２１ｂ１を通じて直接操作可能な部位を半透明とし、それ以外の蓋体１０、２０の構成部位を透明としているため、開閉位置の視認性も良好なものとなり得る。勿論、半透明とする以外に有色透明あるいは不透明な状態としても良い。要は、その部位が操作部４１であることが知覚できれば足りるものである。
【００５２】
その他、各部の具体的構成についても上記実施形態に限られるものではなく、本発明の趣旨を逸脱しない範囲で種々変形が可能である。
【００５３】
たとえば、上記実施形態において壁片を適切に取り付けることができれば、ベースは必ずしも必須のものである必要はない。また、上記実施形態における支持体は樹脂板の折り曲げにより壁片を具備するものであったが、壁片に代えて、ピン状あるいはロッド状をなす部材を組み合わせてなるフレーム構造を採用することを妨げるものではない。
【００５４】
【発明の効果】
以上説明したように、本発明によれば、収納物であるディスク等を「引き離す」作業と必要とせず、利用者にとって収納物の取り出しを容易に行なうことができる収納ケースを提供することができる。
【図面の簡単な説明】
【図１】本発明の一実施形態における斜視図。
【図２】同実施形態における分解斜視図。
【図３】同実施形態における平面図及び側面図。
【図４】同実施形態における動作態様を示す斜視図。
【図５】同実施形態における動作態様を示す斜視図。
【符号の説明】
１０、２０…蓋体
１１、２１…面板
３…支持体
３０…支持部
３１…ベース
３２…壁片
３３…接続部
４０…小口
４１…操作部
４２…突起体
４３…補助支持部
４３ａ…端面
Ｃ  …ケース
Ｄ  …収納物
ｈ  …ヒンジ
ｒ  …湾曲箇所
【図１】
2005022726.tif 000003
【図２】
2005022726.tif 000004
【図３】
2005022726.tif 000005
【図４】
2005022726.tif 000006
【図５】
2005022726.tif 000007